(57)【要約】【課題】高速追従可能で、ユーザトラヒックがない場合であっても安定的に、自動利得調整（ＡＧＣ）できるＰ−ＭＰシステムを提供することを目的とする。【解決手段】Ｐ−ＭＰシステムにおいて、基地局は、所定の第１の周期で加入者局監視制御用の有意な信号を用いたポーリングを行う低速ポーリング手段と、有意な信号を用いたポーリングが行われていない間、第１の周期よりも高速な第２の周期で無為な信号を用いたポーリングを行う高速ポーリング手段と、高速ポーリング手段によるポーリングで加入者局から返送される信号を用いて、加入者局の無線信号について自動利得調整する自動利得調整手段とを備え、加入者局は、受信した無線信号が無為な信号か有意な信号かを識別し、無為な信号である場合にはこれをそのまま基地局へ返送し、有意な信号である場合には有意な信号に従った制御を行う手段を備える、ように構成する。【選択図】          図１
2004336419.tif 000002
【特許請求の範囲】
【請求項１】
１つの基地局と複数の加入者局とが固定無線で接続されるＰ−ＭＰシステムにおいて、
前記基地局は、
あらかじめ定められた第１の周期で、前記複数の加入者局に対してそれぞれ加入者局監視制御用の有意な信号を用いたポーリングを行う低速ポーリング手段と、
前記有意な信号を用いたポーリングが行われていない間、前記第１の周期よりも高速な第２の周期で、前記複数の加入者局に対してそれぞれ無為な信号を用いたポーリングを行う高速ポーリング手段と、
前記高速ポーリング手段によるポーリングで前記複数の加入者局からそれぞれ返送される信号を用いて、前記複数の加入者局からそれぞれ送信される信号についてそれぞれ自動利得調整する自動利得調整手段と、
を備え、
前記複数の加入者局は、それぞれ、前記基地局から送信される信号が前記無為な信号か前記有意な信号かを識別し、前記無為な信号である場合には前記無為な信号をそのまま前記基地局へ返送し、前記有意な信号である場合には前記有意な信号に従った制御を行う手段、を備える、
ことを特徴とするＰ−ＭＰシステム。
【請求項２】
請求項１に記載のＰ−ＭＰシステムにおいて、前記基地局は、さらに、非周期で、前記複数の加入者局に対してそれぞれ加入者局監視制御用の有意な信号を用いたポーリングを行う非周期ポーリング手段を備えることを特徴とするＰ−ＭＰシステム。
【請求項３】
複数の加入者局に固定無線で接続される基地局において、
あらかじめ定められた第１の周期で、前記複数の加入者局に対してそれぞれ加入者局監視制御用の有意な信号を用いたポーリングを行う低速ポーリング手段と、
前記有意な信号を用いたポーリングが行われていない間、前記第１の周期よりも高速な第２の周期で、前記複数の加入者局に対してそれぞれ無為な信号を用いたポーリングを行う高速ポーリング手段と、
前記高速ポーリング手段によるポーリングにおいて前記複数の加入者局からそれぞれ返送される信号を用いて、前記複数の加入者局からそれぞれ送信される信号についてそれぞれ自動利得調整する自動利得調整手段と、
を備えることを特徴とする基地局。
【請求項４】
請求項３に記載の基地局において、さらに、非周期で、前記複数の加入者局に対してそれぞれ加入者局監視制御用の有意な信号を用いたポーリングを行う非周期ポーリング手段を備えることを特徴とする基地局。
【請求項５】
１つの基地局に固定無線で接続されるＰ−ＭＰシステムの加入者局において、前記基地局から送信される信号が無為な信号か加入者局監視制御用の有意な信号かを識別し、前記無為な信号である場合には前記無為な信号をそのまま前記基地局へ返送し、前記有意な信号である場合には前記有意な信号に従った制御を行う手段を備えることを特徴とする加入者局。
【発明の詳細な説明】
【０００１】
【発明の属する分野】
本発明は、基地局と加入者局とを固定無線で接続するＦＷＡ（Ｆｉｘｅｄ  Ｗｉｒｌｅｓｓ  Ａｃｃｅｓｓ：固定系無線アクセス）システムに関し、特に、ＦＷＡシステムの１つであるＰ−ＭＰ（Ｐｏｉｎｔ  Ｔｏ  ＭｕｌｔｉＰｏｉｎｔ）システムに関する。
【０００２】
【従来の技術】
Ｐ−ＭＰシステムは、１つの基地局と複数の加入者局とが固定無線で接続される通信システムである（非特許文献１参照）。
このＰ−ＭＰシステムにおいては、基地局が、加入者局を監視制御するために、これら加入者局に対して１つの周期でポーリングを行っている。
【０００３】
図７は、Ｐ−ＭＰシステムにおいて加入者局の監視制御のために行われる従来のポーリング動作を示す図であり、図８は、従来の基地局制御回路を示す図である。
図７に示すように、従来の加入者局の監視制御のポーリングは、時間間隔Ｔ１（Ｔ１＞無線フレーム間隔）で、基地局（図８）から各加入者局（加入者局＃１〜加入者局＃Ｘ）に対して順次行われていく。
なお、この従来のポーリング動作は、基地局および加入者局におけるソフトウエアにより行われる。
【０００４】
ところで、このＰ−ＭＰシステムにおいてＴＤＭＡ（Ｔｉｍｅ  Ｄｉｖｉｓｉｏｎ  Ｍｕｌｔｉｐｌｅ  Ａｃｃｅｓｓ）／ＴＤＤ（Ｔｉｍｅ  Ｄｉｖｉｓｉｏｎ  Ｄｕｐｌｅｘ）方式を用いて無線通信を行う場合には、複数の加入者局から送信された無線信号が基地局でバースト的に（すなわち、異なるタイミングで）受信される。
【０００５】
基地局は、このバースト的に受信した無線信号から、次のような方法により、ディジタルデータを取り出す。すなわち、受信した変調信号を増幅器で増幅してＲＦ（Ｒａｄｉｏ  Ｆｒｅｑｕｅｎｃｙ）帯からＩＦ（Ｉｎｔｅｒｍｅｄｉａｔｅ  Ｆｒｅｑｕｅｎｃｙ）帯に変換し、次に、ＩＦ帯の変調信号を検波してベースバンド信号を取り出し、そして、Ａ／Ｄ変換器によってベースバンド信号をＡ／Ｄ変換してベースバンドのシンボルごとのレベルを判定するという方法である。
【０００６】
かかるディジタルデータの取り出しについては、通常、基地局に対して次の２つの要求がなされる。
・第１の要求は、受信した変調信号の振幅レベルを適正レベルに抑えるという要求である。この要求は、受信した変調信号の増幅に際して増幅器が飽和しないようにするためになされる。
・第２の要求は、ＡＤ変換器に入力するベースバンド信号レベルを適正レベルに調整するという要求である。この要求は、ＡＤ変換器で変換できる信号レベルには設定範囲があるために、また、ＡＤ変換に際して量子化雑音による影響を少なくするためになされる。
【０００７】
上記第１の要求を満たすためには、基地局において、各加入者局からの変調信号の振幅レベルを自動利得調整（ＡＧＣ：Ａｕｔｏ  Ｇａｉｎ  Ｃｏｎｔｒｏｌ）する必要がある。なぜなら、各加入者局の設置条件が異なるため、基地局においてバースト的に受信される複数の加入者局から無線信号の振幅レベルは、通常、加入者ごとに異なっているからである。
【０００８】
そして、上記自動利得制御を良好に行うためには、加入者局からの信号の振幅レベルを一定時間間隔でサンプリングして最大値の移動平均を算出し、この算出した移動平均とあらかじめ設定された標準受信電力レベルとの差分に基づいて利得調整を実施する必要がある。なぜなら、ＦＷＡシステムにおいては伝搬路環境が移動無線システムに比べ比較的に安定しているものの、所望波以外の過大な干渉波が入力する場合もあるからである。
【０００９】
また、上記自動利得制御を安定的に行なうためには、ユーザトラヒックが無い場合であっても全ての加入者局からの無線信号を一定時間内に受信する必要がある。
さらに、上記自動利得制御の高速追従精度を高めるためには、サンプリング時間を短くして、全ての加入者局からの無線信号を短時間で高速的に受信する必要がある。
【００１０】
他方、上記第２の要求を満たす手段としては、ディジタルデータで変調された変調信号の前に設けられているプリアンブル信号中に利得調整信号を用意しておき、基地局でこの利得調整信号を受信してＡ／Ｄ変換を行った後の信号レベルを検出し、その検出値が適正レベルになるように利得調整信号の利得を調整し、その後に受信されるベースバンド信号レベルを常に適正レベルとなるように自動利得調整（ＡＧＣ）する手段が考えられる。
【００１１】
しかし、利得調整用信号を用いて信号レベルの検出と利得調整を適正レベルにする制御とを各加入者からの無線信号を受信するごとに繰り返し実施することとすると、バーストごとに利得調整を行った場合にはプリアンブル信号中の利得調整用信号を長くせざるを得なくなり、フレーム効率が悪化してしまう。
【００１２】
そこで、上記第２の要求を満たす手段としては、ユーザデータトラヒックを伝送するためのユーザデータ用フレームとは別に、無線フレームに加入者局の監視制御と伝搬遅延量の調整とをするためのＤＭＦフレーム（Ｄｌａｙ  Ｍａｎａｇｅｍｅｎｎｔ  Ｆｒｅｍｅ）を設け、このＤＭＦフレームのプリアンブル信号中の利得調整信号を利用して、一定間隔で全ての加入者局に対して一巡するように制御する手段が有効である。
【００１３】
従来は、上記２つの自動利得調整を、上述した図７の加入者局を監視制御するためのポーリングによって１つの周期で行っていた。
【００１４】
【非特許文献１】
服部武、藤岡雅宣編著、「ＩＤＧ情報通信シリーズ  ワイヤレス・ブロードバンド教科書」、初版、株式会社ＩＤＧジャパン、２００２年６月１０日、ｐ．３１３−３１６
【００１５】
【発明が解決しようとする課題】
しかし、望ましいとされるポーリングの周期は、そのポーリングの目的（たとえば、加入者局の監視制御や利得調整や伝送遅延量の調整など）によって異なるものである。
【００１６】
たとえば、加入者局の監視制御を行う場合には、制御部の処理能力などを考慮して、比較的に低速な周期でかつ非周期性をも併せ持つポーリングが望ましいとされるのに対し、利得調整および伝搬遅延量調整を行う場合には、刻々と変化する伝搬路変化にも追従できるように、高速なポーリングが望ましいとされる。
【００１７】
このため、上記自動利得調整（ＡＧＣ）を、上述した図７の加入者局を監視制御するためのポーリングによって１つの周期で行う従来の手段では、自動利得調整を降雨などの高速な伝搬路変化に追従させることができないという問題があった。
【００１８】
そこで、本発明は、かかる事情に鑑み、高速性を要求されるポーリング制御をハードウエアで、低速性を要求されるポーリング制御をソフトウエアで行い、加入者局の監視制御に影響されることなく、高速追従可能で、ユーザトラヒックがない場合であっても安定的に、自動利得調整（ＡＧＣ）を行うことができるＰ−ＭＰシステムを提供することを目的とする。
【００１９】
【課題を解決するための手段】
本発明によれば、上記課題は、次の手段により解決される。
【００２０】
第１の発明は、１つの基地局と複数の加入者局とが固定無線で接続されるＰ−ＭＰシステムにおいて、前記基地局は、あらかじめ定められた第１の周期で、前記複数の加入者局に対してそれぞれ加入者局監視制御用の有意な信号を用いたポーリングを行う低速ポーリング手段と、前記有意な信号を用いたポーリングが行われていない間、前記第１の周期よりも高速な第２の周期で、前記複数の加入者局に対してそれぞれ無為な信号を用いたポーリングを行う高速ポーリング手段と、前記高速ポーリング手段によるポーリングで前記複数の加入者局からそれぞれ返送される信号を用いて、前記複数の加入者局からそれぞれ送信される信号についてそれぞれ自動利得調整する自動利得調整手段と、を備え、前記複数の加入者局は、それぞれ、前記基地局から送信される信号が前記無為な信号か前記有意な信号かを識別し、前記無為な信号である場合には前記無為な信号をそのまま前記基地局へ返送し、前記有意な信号である場合には前記有意な信号に従った制御を行う手段、を備える、ことを特徴とするＰ−ＭＰシステムである。
【００２１】
第２の発明は、第１の発明に係るＰ−ＭＰシステムにおいて、前記基地局は、さらに、非周期で、前記複数の加入者局に対してそれぞれ加入者局監視制御用の有意な信号を用いたポーリングを行う非周期ポーリング手段を備えることを特徴とするＰ−ＭＰシステムである。
【００２２】
第３の発明は、複数の加入者局に固定無線で接続される基地局において、あらかじめ定められた第１の周期で、前記複数の加入者局に対してそれぞれ加入者局監視制御用の有意な信号を用いたポーリングを行う低速ポーリング手段と、前記有意な信号を用いたポーリングが行われていない間、前記第１の周期よりも高速な第２の周期で、前記複数の加入者局に対してそれぞれ無為な信号を用いたポーリングを行う高速ポーリング手段と、前記高速ポーリング手段によるポーリングにおいて前記複数の加入者局からそれぞれ返送される信号を用いて、前記複数の加入者局からそれぞれ送信される信号についてそれぞれ自動利得調整する自動利得調整手段と、を備えることを特徴とする基地局である。
【００２３】
第４の発明は、第３の発明に係る基地局において、さらに、非周期で、前記複数の加入者局に対してそれぞれ加入者局監視制御用の有意な信号を用いたポーリングを行う非周期ポーリング手段を備えることを特徴とする基地局である。
【００２４】
第５の発明は、１つの基地局に固定無線で接続されるＰ−ＭＰシステムの加入者局において、前記基地局から送信される信号が無為な信号か加入者局監視制御用の有意な信号かを識別し、前記無為な信号である場合には前記無為な信号をそのまま前記基地局へ返送し、前記有意な信号である場合には前記有意な信号に従った制御を行う手段を備えることを特徴とする加入者局である。
【００２５】
【発明の実態の形態】
以下に、添付した図面を参照しつつ、本発明の好適な実施の形態を詳細に説明する。
本発明の実施の形態に係るＰ−ＭＰシステムにおいては、予測不能なデータトラヒックを伝送するためのユーザデータ用フレームとは別に、加入者局の監視制御、伝搬遅延量の調整および利得調整を行なうためのＤＭＦ（Ｄｌａｙ  Ｍａｎａｇｅｍｅｎｎｔ  Ｆｒｅｍｅ）を用意し、このＤＭＦフレームのプリアンブル信号中に利得調整用の信号を合わせて用意する。
【００２６】
また、決められた無線フレーム周期ごとにＴＤＭＡ信号を分割・合成するＴＤＭＡ制御回路を設け、このＴＤＭＡ制御回路内に伝搬遅延量および利得調整を行なう加入者局を示す利得調整カウンタを用意する。
そして、無線フレームごとに利得調整カウンタ内の値が示す加入者局に対して、無為なコマンド信号（空き）を送信し、利得調整カウンタ値をデクリメントする。
なお、利得調整カウンタには、最大加入者局数を示す値が初期値として設定されており、０となった場合には最大加入者局数を設定する。
また、無為なコマンド信号（空き）には、ＡＬＬ“０”のデータが挿入されている。
【００２７】
つぎに、ＴＤＭＡ制御回路内において、加入者局の監視制御を行なうための有意なコマンド信号を受信するためのコマンド用ＦＩＦＯと、コマンド信号を書き込んだことを示すコマンド書込みフラグと、送信先の加入者局を示す監視カウンタと、を用意する。
そして、ＴＤＭＡ制御回路は、コマンド書込みフラグが無為の場合は、利得調整カウンタによる高速ポーリング制御を行い、他方、コマンド書込みフラグが有りの場合は、コマンドＦＩＦＯに入力されているコマンド信号を監視カウンタが示す加入者局に対して送信する。
なお、ここで、有意なコマンド信号（有意信号）には、加入者局へ指示する有意なコマンドデータが挿入されている。
【００２８】
つぎに、コマンド信号を受信した加入者局では、利得調整を行なうための無為なコマンド信号（空き）と加入者局の監視制御を指示するための有意なコマンド信号とが識別され、コマンド信号（空き）の場合は、基地局に対してそのままレスポンス（空き）を返送される。
したがって、基地局では、このレスポンス信号とレスポンス信号に含まれるプリアンブル信号内の利得調整用信号とにより、無線信号とベースバンド信号の自動利得調整を加入者局ごとに行うことができる。
【００２９】
また、加入者局は、有意なコマンド信号（有意信号）を受信した場合は、これをレスポンスＦＩＦＯに送信する。そして、加入者局の監視制御回路は、基地局からの指示に従って制御を行なうとともに、レスポンス信号を内部に編集しておく。
【００３０】
基地局の監視制御回路は、自動利得制御を行なうための高速なポーリング制御に影響されることなく、非周期で発生した監視制御コマンドに対しても低速なポーリング制御を行う。
【００３１】
そして、基地局の監視制御回路は、有意なコマンド信号の送信回数を制限する手段を備えており、レスポンス信号の編集時間等を考慮した間隔で、コマンド要求、レスポンス要求を送信する。
【００３２】
また、レスポンス要求を受信した加入者局の監視制御回路は、先に編集しておいたレスポンス信号をレスポンスＦＩＦＯを経由して基地局に対して送信する。
【００３３】
また、レスポンス信号を受信した基地局は、無為なレスポンス信号（空き）と有意なレスポンス信号を識別して、無為なレスポンス信号（空き）の場合はデータを破棄し、有意なレスポンス信号の場合はレスポンスＦＩＦＯを経由して監視制御回路に対してレスポンス信号を送信する。
【００３４】
このように、本発明の実施の形態に係るＰ−ＭＰシステムによれば、高速なポーリング制御と非周期および低速なポーリング制御の調停が可能であり、ユーザデータトラヒックおよび監視制御トラヒックに影響されることなく、安定的で、高速追従可能な自動利得制御を行うことができる。また、安価な制御部により、非周期で発生する監視制御を実現でき、自動利得制御に影響することなく効率的な加入者局の監視制御が可能である。
【００３５】
【実施例】
図２は、本発明の実施例に係るＰ−ＭＰシステムの全体的な構成を示す図である。
このＰ−ＭＰシステムは、複数の加入者に対して固定無線アクセスサービス（ＦＷＡサービス）を提供するためのシステムであり、基地局１１と複数の加入者局（２１（１）〜２１（３））とは、それぞれ固定無線により接続されている。
また、基地局１１はネットワークにも接続されており、複数の加入者局（２１（１）〜２１（３））はそれぞれパーソナルコンピュータなどの端末（図示せず）にも接続されている。
【００３６】
このＰ−ＭＰシステムにおいては、加入者局に接続された端末（図示せず）とネットワークとを固定無線を介して接続できるため、当該端末（図示せず）に対してあたかも有線の場合と同様なＩＰ系サービスなどを提供することができる。
また、基地局と複数の加入者局とにＴＤＭＡ／ＴＤＤ方式に基づく双方向通信をさせ、共通の無線周波数（たとえば、２６ＧＨｚ帯周波数）を割り当てることにより、効率的な通信が可能となる。
【００３７】
図３は、図２のＰ−ＭＰシステムにおいて、基地局と複数の加入者局とが送受信するＴＤＭＡ／ＴＤＤ無線フレームの構成例を示す図である。
この無線フレームの周期はハードウエアなどの条件により決定されるが、本実施例の形態においては、説明の便宜を考慮して、この無線フレームの周期を１ｍｓとする。
【００３８】
図３に示すように、この無線フレームは、上り回線と下り回線とガードタイムとから構成されている。そして、上り回線はＴＳ１１とＴＳ１２とから構成され、下り回線は、ＴＳ１３とＴＳ１４とＴＳ１５とから構成され、ガードタイムはＴＳ１６で構成されている。
【００３９】
図３のＴＳ１１（Ｔｉｍｅ  Ｓｌｏｔ１１）は、すべての加入者局がアクセス可能な領域で、フレーム構造情報を含むフレーム構造領域と、ＭＡＣ  ＩＤおよび加入者局に対する指示であるコマンドを含む監視制御領域（コマンド）と、ＴＳ１４（Ｔｉｍｅ  Ｓｌｏｔ１４）のアクセスを調停するスロットデマンド調停領域と、上りデータを送信するための上りデータ領域の位置およびタイムスロット数を示す上りデータ割当領域と、から構成される。
【００４０】
ＴＳ１２（Ｔｉｍｅ  Ｓｌｏｔ１２）は、基地局１１から複数の加入者局（２１（１）〜２１（３））に対する下り方向のユーザデータを伝送するための下りデータ領域である。
【００４１】
ＴＳ１３（Ｔｉｍｅ  Ｓｌｏｔ１３）は、基地局１１と複数の加入者局（２１（１）〜２１（３））との間の距離差により発生する伝搬遅延時間を測定して各加入者局（２１（１）〜２１（３））からの送信タイミングを調整する、ＤＭＦ領域である。
【００４２】
このＤＭＦ領域は、各加入者局（２１（１）〜２１（３））からバースト的に送信される無線信号が基地局１１で衝突しないように制御するための領域と、ＤＭＦフレームとから構成されている。
【００４３】
ＤＭＦフレームは、フレーム同期をとるためのプリアンブル信号と、レスポンスが返送される加入者局を示すＭＡＣ  ＩＤと、レスポンス（上り監視信号）と、ガードタイム（ＧＴ）と、から構成されている。なお、このＤＭＦフレームのプリアンブル信号には、利得調整を行なうための利得調整用信号が配置されており、この利得調整用信号を用いてすべての上り回線について利得調整が行われる。
【００４４】
ＴＳ１４（Ｔｉｍｅ  Ｓｌｏｔ１４）は、加入者局（２１（１）〜２１（３））においてランダムに発生する上りデータ要求を行うための領域であり、スロットデマンド調停領域の指示に従ってアクセスが可能である。
【００４５】
ＴＳ１５（Ｔｉｍｅ  Ｓｌｏｔ１５）は、複数の加入者局（２１（１）〜２１（３））から基地局１１に対する上り方向のユーザデータを伝送するための領域である。
【００４６】
ＴＳ１６（Ｔｉｍｅ  Ｓｌｏｔ１６）は、上り回線と下り回線との境界に設定され、干渉防止用のガードタイムである。
【００４７】
図１は、本発明の実施例に係るＰ−ＭＰシステムにおけるポーリング制御動作を示す図である。
【００４８】
図１に示すように、基地局のハードウエア（基地局（ハード））は、高速なポーリングを行う。すなわち、基地局（ハード）は、無線フレーム周期Ｔ０（例えば、１ｍｓ）ですべての加入者局に対して無為なコマンド信号（空き）を送信し、この送信した無為なコマンド信号（空き）に対して加入者局から折返し送信される無為なレスポンス信号（空き）を受信する。
【００４９】
そして、基地局（ハード）は、受信した無為なレスポンス信号（空き）とこの無為なレスポンス信号のプリアンブル信号に含まれる利得調整用信号とを用いて、それぞれ、無線信号とベースバンド信号の自動利得調整（ＡＧＣ）を行う。
【００５０】
他方、基地局のソフトウエア（基地局（ソフト））は、低速なポーリングを行う。すなわち、基地局（ソフト）は、上記Ｔ０よりも低速な周期（Ｔ１／２）ですべての加入者局に対して有意なコマンド信号（コマンド指示またはレスポンス要求）を送信しており、この有意なコマンド信号を用いて加入者局の監視制御を行っている。
【００５１】
なお、コマンド信号の送信回数は、上記の高速なポーリングによる自動利得調整（ＡＧＣ）に影響することがないように、低速なポーリング周期（Ｔ１）をたとえば１０ｍｓとすることによって、制限されている。
【００５２】
図４は、本発明の実施例に係るＰ−ＭＰシステムが有する基地局１１の回路構造を示す図である。
図４に示すように、基地局１１は、アンテナ１２、高周波回路３２、通信回線制御回路３３で構成されている。
【００５３】
高周波回路３２には、受信機４１、送信機４２、およびスイッチ４３が備わっている。
【００５４】
通信制御回路３３には、変復調回路５１、ＴＤＭＡ制御回路５２、ＭＡＣ（メディアアクセスコントロール）制御回路５３、ＬＬＣ（ロジカルリンクコントロール）制御回路５４、通信インタフェース回路５５、スケジューリング回路５６、および監視制御回路５７が備わっている。
【００５５】
通信インタフェース回路５５は、ＩＰ網などのネットワーク（図７）に接続される。
【００５６】
ＬＬＣ層制御回路５４は、送信信号および受信信号のデータを一時的に蓄積するためのバッファを内蔵している。また、ＬＬＣ層制御回路５４は、通信インタフェース回路５５から受信される信号を、該当する加入者局への振り分け、無線パケットの生成などを行う。
【００５７】
ＭＡＣ層制御回路５３は、データにレイヤ２レベルでの機器識別ＩＤ（ＭＡＣＩＤ）を付与するとともに、スケジューリング回路５７を用いて上り・下りデータ領域のタイムスロット（帯域）をダイナミックに効率的に割り当てる。
【００５８】
ＴＤＭＡ制御回路５２は、図３に示す無線フレーム構成を生成するための回路である。
【００５９】
監視制御回路５６は、加入者局を監視制御するための回路である。
【００６０】
変復調回路５１は、ＴＤＭＡ制御回路５２から入力されるベースバンド信号を変調して高周波回路３２に出力するとともに、高周波回路３２から入力される中間周波数（ＩＦ帯）の受信信号を復調してＭＡＣ層制御回路５２に出力する。
【００６１】
高周波回路３２の送信機４２は、変復調回路５１から入力される中間周波数（ＩＦ帯）の信号を無線周波数（ＲＦ帯）に周波数変換するとともに、周波数変換した無線周波数（ＲＦ帯）の高周波信号を電力増幅し、スイッチ４３を介してアンテナ１２に出力する。
【００６２】
また、高周波回路３２の受信機４１は、アンテナ１２で受信された無線周波数（ＲＦ帯）の受信信号をスイッチ４３を介して入力され、この入力された受信信号を内蔵された低雑音増幅器で増幅した後、中間周波数（ＩＦ帯）に周波数変換して変復調回路５１に出力する。
【００６３】
基地局１１は、上記変復調回路５１とＴＤＭＡ制御回路５２と監視制御回路５６とを用いて、上述した、高速ポーリングと低速ポーリングとを実現する。
なお、本明細書においては、この変復調回路５１とＴＤＭＡ制御回路５２と監視制御回路５６とを、ポーリング制御回路という。
【００６４】
図５は、ポーリング制御回路（図４の変復調回路５１およびＴＤＭＡ制御回路５２および監視制御回路５６）を詳細に説明する図である。
【００６５】
ＴＤＭＡ制御回路５２は、ＦＩＦＯバッファＳＲに格納されるコマンド書込み終了フラグが書込み無し（＝０）の場合に、無為なコマンド信号（空き）を暗号化回路で暗号化することなく、位相調整回路で位相調整し、誤り訂正符号を付与して、無線フレームを構成し、この構成した無線フレームを変復調回路５１を介して、利得調整用カウンタが示す加入者局へ送信する。
【００６６】
なお、無為なコマンド信号（空き）は、監視制御用の有意なコマンドと識別することができる信号であればよく、たとえば、コマンドデータを全て“０”（空きバースト）とする信号が考えられる。
【００６７】
利得調整用カウンタは、伝搬遅延量の調整および利得調整を行なう加入者局を示すカウンタであり、最大加入者局数を示す値が初期値として設定されている。ＴＤＭＡ制御回路５２は、無為なコマンド信号（空き）を送信するごとに、利得調整用カウンタの値をデクリメントし、利得調整用カウンタが０となればこれに最大加入者局数を再度設定する。
【００６８】
ＴＤＭＡ制御回路５２は、ＥＩＤ保持レジスタに保持している、無為なコマンド信号を送信した加入者局番号と一致した値であるＥＩＤ番号を、変復調回路５１のＡＧＣ回路に出力する。このＥＩＤ番号によって、ＡＧＣ回路は、どの加入者局からのＤＭＦフレームを受信するかを知ることができる。
【００６９】
監視制御回路５６は、ソフトウエアで制御されており、自動利得調整に影響することない低速な周期（Ｔ１／２）で、加入者局の監視制御を行なうためのコマンド信号（有意信号）をコマンドＦＩＦＯへ格納し、ＦＩＦＯバッファＳＲのコマンド書込み終了フラグを書込み有り（＝１）に設定し、さらに、監視制御を行う加入者局を示す加入者局番号を監視用カウンタへ格納する。
【００７０】
コマンド書込み終了フラグが書込み有り（＝１）に設定された場合、ＴＤＭＡ制御回路は、コマンドＦＩＦＯに格納されている有意なコマンド信号（有意信号）を、暗号化回路で暗号化し、位相調整回路で位相調整し、誤り訂正符号を付与して、変復調回路５１に出力し、監視用カウンタに格納されている加入者局番号が示す加入者局に対して送信する。
【００７１】
変復調回路５１のＡＧＣ回路は、加入者局から送信されてきたレスポンス信号とレスポンス信号のプリアンブル信号の中に含まれる利得調整用信号とからＡＧＣ制御値を得て、これをＥＩＤ番号ごとに内部のメモリに記憶する。
【００７２】
そして、ＡＧＣ制御回路は、加入者局からユーザデータを受信した際に、内部のメモリに記憶されているＡＧＣ制御値に基づいて利得制御を行い、複数の加入者局からバースト的に受信される振幅レベルの異なる無線信号をＡＤ変換器に入力される前に適正レベルとなるように制御する。
【００７３】
ＴＤＭＡ制御回路５２は、ＡＧＣ回路から出力されたレスポンス信号について誤り訂正をし、位相調整をした後、レスポンス信号を識別し、データがＡＬＬ“０”の場合は、無為な空きバーストとしてデータを全て破棄する。他方、データがＡＬＬ“０”以外の場合は、有意なレスポンス信号（有意信号）として、復号化し、レスポンスＦＩＦＯを経由して監視制御回路に出力する。
【００７４】
図６は、本発明の実施例に係るＰ−ＭＰシステムの加入者局におけるポーリング制御回路を示す図である。
【００７５】
ＴＤＭＡ回路では、データ内容を検査することによって、利得調整用の空きバーストであるか有意なコマンドであるかを識別しており、ＡＬＬ“０”である場合はＤＭＦフレームにてレスポンス（ＡＬＬ“０”）をそのまま返送する。また、ＡＬＬ“０”以外の有意なコマンドである場合は、レスポンスをコマンドＦＩＦＯに入力し、監視制御回路に出力する。
有意なコマンド信号を入力された監視制御回路は、基地局からのコマンド指示に従った制御を行ない、レスポンス信号を編集し、内部に格納しておく。
【００７６】
そして、加入者局の監視制御回路は、基地局からのレスポンス要求に従って、あらかじめ編集しておいたレスポンス信号をレスポンスＦＩＦＯに格納し、コマンド書込み終了フラグを有り（＝１）をセットし、ＴＤＭＡ制御回路の上り送信タイミングによりレスポンス信号を基地局に送信する。
【００７７】
以上説明したように、本発明の実施例に係るＰ−ＭＰシステムによれば、無線フレーム周期×最大加入者局数の間隔で一巡するようなポーリング制御が可能であり、無線フレーム周期を１ｍｓ、最大加入者局を１００局と設定した場合、ユーザデータトラヒックおよび監視制御トラヒックに影響されることなく、１００ｍｓ周期の高速で、安定的な自動利得制御を行なうことが可能である。
【００７８】
また、本発明の実施例に係るＰ−ＭＰシステムによれば、安価な制御部により、非周期で発生する加入者局の監視制御が実現でき、自動利得制御に影響することなく効率的な加入者局監視制御が可能である。
【００７９】
【発明の効果】
以上説明したように、本発明によれば、降雨などの伝搬路変化に対して高速に追従する必要のある自動利得制御に関しては、高速なポーリングを行うことができ、他方、加入者局の監視制御に関しては、低速なポーリングを行うことができる。
したがって、本発明によれば、加入者局の監視制御に影響されることなく、高速追従可能で、ユーザトラヒックがない場合であっても安定的に、自動利得調整（ＡＧＣ）を行うことができ、また、効率的な加入者局の監視制御を行うことができる。
【図面の簡単な説明】
【図１】本発明の実施例に係るＰ−ＭＰシステムにおけるポーリング制御動作を示す図である。
【図２】本発明の実施例に係るＰ−ＭＰシステムの全体的な構成を示す図である。
【図３】図２のＰ−ＭＰシステムにおいて、基地局と複数の加入者局とが送受信するＴＤＭＡ／ＴＤＤ無線フレームの構成例を示す図である。
【図４】本発明の実施例に係るＰ−ＭＰシステムが有する基地局１１の回路構造を示す図である。
【図５】ポーリング制御回路（図４の変復調回路５１およびＴＤＭＡ制御回路５２および監視制御回路５６）を詳細に説明する図である。
【図６】本発明の実施例に係るＰ−ＭＰシステムの加入者局におけるポーリング制御回路を示す図である。
【図７】Ｐ−ＭＰシステムにおいて加入者局の監視制御のために行われる従来のポーリング動作を示す図である。
【図８】従来の基地局制御回路を示す図である。
【符号の説明】
１１    基地局
１２    アンテナ
２１（１）、２１（２）、２１（３）    加入者局
２２（１）、２２（１）、２２（１）    アンテナ
３２  高周波回路
３３  通信制御回路
４１  受信機
４２  送信機
４３  スイッチ
５１  変復調回路
５２  ＴＤＭＡ制御回路
５３  ＭＡＣ層制御回路
５４  ＬＬＣ層制御回路
５５  通信インタフェース回路
５６  監視制御回路
５７  スケジューリング回路
【図１】
2004336419.tif 000003
【図２】
2004336419.tif 000004
【図３】
2004336419.tif 000005
【図４】
2004336419.tif 000006
【図５】
2004336419.tif 000007
【図６】
2004336419.tif 000008
【図７】
2004336419.tif 000009
【図８】
2004336419.tif 000010